(57)【特許請求の範囲】
【請求項１】
画像表示素子の画像を拡大投写する投写レンズ、上記画像表示素子を駆動させる電気回路、冷却用のファン、上記の構成要素を内部に収め所定の面に吸気口が設けられた筐体、上記吸気口形成領域に上記筐体の所定の面の外側に押し出されて保持されたフィルターカバー、上記フィルターカバーに装着された防塵フィルター、上記フィルターカバーと接触可能に配置された検知スイッチを備え、上記検知スイッチは、上記フィルターカバーとの接触、非接触により上記フィルターカバーの装着状態を検知する第一の検知スイッチと、上記フィルターカバーが上記筐体の所定の面に沿うように閉じる状態を検知する第二の検知スイッチとにより構成されたことを特徴とする投写型画像表示装置。
【請求項２】
検知スイッチは、フィルターカバーの一端に接触可能に配置された１個の検知スイッチによって構成され、上記検知スイッチは、上記フィルターカバーとの接触、非接触によって、上記フィルターカバーが筐体に装着され正常に用いられている第一の状態か、上記フィルターカバーが上記筐体に装着されていないか若しくは上記フィルターカバーが上記筐体の所定の面に沿うように閉じる第二の状態かを検知することを特徴とする請求項１記載の投写型画像表示装置。
【請求項３】
検知スイッチは、フィルターカバーの一端に接触可能に配置された１個の２接点タイプのスイッチによって構成され、上記検知スイッチに設けられフィルターカバーに接触する突起部のストローク量は上記フィルターカバーの変動に応じて変化し、上記ストローク量によって上記フィルターカバーが筐体に装着され正常に用いられている第一の状態か、上記フィルターカバーが上記筐体に装着されていないか若しくは上記フィルターカバーが上記筐体の所定の面に沿うように閉じる第二の状態かを検知することを特徴とする請求項１記載の投写型画像表示装置。
【請求項４】
画像表示素子の画像を拡大投写する投写レンズ、上記画像表示素子を駆動させる電気回路、冷却用のファン、上記の構成要素を内部に収め所定の面に吸気口が設けられた筐体、上記吸気口形成領域に上記筐体の所定の面の外側に押し出されて保持されたフィルターカバー、上記フィルターカバーに装着された防塵フィルター、上記筐体の内面を覆う第一の導電膜、上記筐体の内面に形成され上記第一の導電膜とは絶縁された状態の第二の導電膜、上記フィルターカバーの表面に配置され、上記フィルターカバーが上記筐体に装着され、上記筐体の所定の面から外側に押し出されて保持された状態で上記第一、第二の導電膜の両方に接触する第三の導電膜、上記第一の導電膜と上記第二の導電膜とが上記第三の導電膜を介して電気的に導通状態か非導通状態かを検知するマイコンを備えたことを特徴とする投写型画像表示装置。
【請求項５】
画像表示素子の画像を拡大投写する投写レンズ、上記画像表示素子を駆動させる電気回路、冷却用のファン、上記の構成要素を内部に収め所定の面に吸気口が設けられた筐体、上記吸気口形成領域に上記筐体の所定の面の外側にスプリング部材の弾力性を利用して押し出されて保持されたフィルターカバー、上記フィルターカバーに装着された防塵フィルター、上記フィルターカバーの中心から筐体の内部側に向かって突出するカバー中心部、上記カバー中心部の突出部と接触可能に配置され、接触状態を検知する検知スイッチを備え、上記フィルターカバーの中心が回動中心となり、上記フィルターカバーの回動に応じて上記カバー中心部の突出部と上記検知スイッチとの接触状態が変化することを特徴とする投写型画像表示装置。
【請求項６】
画像表示素子の画像を拡大投写する投写レンズ、上記画像表示素子を駆動せしめる電気回路、冷却用のファン、上記の構成要素を内部に収め所定の面に吸気口が設けられた筐体、上記吸気口形成領域に上記筐体の所定の面の外側にスプリング部材の弾力性を利用して押し出されて保持され、中心位置を回動中心として回動するフィルターカバー、上記フィルターカバーに装着された防塵フィルター、上記フィルターカバーの両端にそれぞれ接触可能に配置された検知スイッチを備え、上記検知スイッチは、上記検知スイッチがいずれも上記フィルターカバーに接触していない第一の状態と、一方の上記検知スイッチのみ上記フィルターカバーに接触している第二の状態と、両方の上記検知スイッチが上記フィルターカバーに接触している第三の状態とを検知することを特徴とする投写型画像表示装置。
【請求項７】
フィルターカバーは略平板状に形成されると共に、筐体の所定の面と平行な状態を保つように、上記筐体の外側に、スプリング部材の弾力性を利用して押し出されて保持されることを特徴とする請求項１〜４のいずれか一項記載の投写型画像表示装置。
【請求項８】
フィルターカバーは略平板状に形成されると共に、一端を回動中心として他端が筐体の所定の面から外側に、スプリング部材の弾力性を利用して押し出されて保持されることを特徴とする請求項１または請求項２に記載の投写型画像表示装置。
【請求項９】
スプリング部材は、コイルバネまたは板バネあるいはスポンジのいずれか、若しくはそれらの部材を組み合わせて用いられることを特徴とする請求項５〜８のいずれか一項記載の投写型画像表示装置。
【請求項１０】
スプリング部材は、フィルターカバーの端部によって構成される弾力性を持つ可動部とすることを特徴とする請求項５〜８のいずれか一項記載の投写型画像表示装置。
【請求項１１】
スプリング部材としての機能は、フィルターカバー内面と、この内面に対向する筐体構成面との間に挟持された弾力性を持つ防塵フィルターが兼ねることを特徴とする請求項５〜８のいずれか一項記載の投写型画像表示装置。
【請求項１２】
検知スイッチによって、フィルターカバーが非装着である状態または上記フィルターカバーが筐体の所定の面に沿って閉じる状態を検知した場合、ブザーやランプなどの表示手段を用いて不正使用状態を伝達することを特徴とする請求項１〜３のいずれか一項記載の投写型画像表示装置。
【請求項１３】
マイコンによって、第一の導電膜と第二の導電膜とが非導通である状態を検知した場合、ブザーやランプなどの表示手段を用いて不正使用状態を伝達することを特徴とする請求項４記載の投写型画像表示装置。
【発明の詳細な説明】
【０００１】
【発明の属する技術分野】
この発明は、投写型画像表示装置の構成に関し、特に投写型画像表示装置の吸気口に取り付けられ、防塵フィルターを装着するフィルターカバーの取り付け状態や、使用状態を検知することが可能な投写型画像表示装置に関するものである。
【０００２】
【従来の技術】
図２１は、従来の投写型画像表示装置を横から見た断面図であり、図において符号１０１は外部からの塵の浸入を防ぐ防塵フィルター、１０２は表示装置の本体を構成する筐体、１０２ａは筐体１０２の底面に設けられた吸気口、１１６は投写画像を表示する画像表示素子、１１７は画像表示素子１１６の画像を拡大投射する投写レンズ、１１８は画像表示装置を駆動せしめる電気回路、１１９は、この画像表示装置の内部に外気を送り込む冷却用のファンである。
【０００３】
また、図２２は、例えば特開平６−５９２４７号公報に開示された従来の投写型画像表示装置における吸気口周辺部の斜視図である。この図において、符号１０２ｂは筐体１０２に備えられたフィルター支持爪部、１０２ｃは筐体１０２に備えられた操作窓、１０３はフィルターカバー、１０３ｂはフィルターカバー１０３に設けられた腕部を示し、その他、既に説明のために用いた符号と同一符号は同一、若しくは相当部分を示すものである。
【０００４】
このような従来の投写型画像表示装置においては、防塵フィルター１０１を備えたフィルターカバー１０３をフィルター支持爪部１０２ｂに挿入することにより、吸気口１０２ａから塵の浸入を防止することができる。また、防塵フィルター１０１の新しい部分が現れ、防塵フィルター１０１の交換、または清掃期間を延ばすことができる。
【０００５】
【発明が解決しようとする課題】
上記のような従来の投写型画像表示装置では、吸気口をふさがれてしまうと画像表示装置内の温度が上昇してしまい、装置が破壊されたり、温度センサーが作動することによって電源停止状態となってしまうなどの問題があった。また、再起動するためには、機種にもよるが、装置の内部温度が下がるまで待たなくてはならない場合や、サービスマン対応で温度センサーをリセットしてもらわなければならない場合がある。さらに、これらの場合、ユーザーが、破壊や電源停止となった理由に気付かず、市場クレームとなる場合が多々ある。
【０００６】
この発明は上記のような問題点を解決するためになされたものであり、投写型画像表示装置の吸気口が塞がれた状態やフィルターカバーの装着状態を検知し、問題があればユーザーに知らしめる機能を持ち、正しく安全に使用することが可能な投写型画像表示装置を得ることを目的とする。
【０００７】
また、フィルターカバーを介して吸気口の状態を検知することにより、フィルターカバーのどこか一部分でも塞がれば、確実に検知することができるような、より確実な吸気口状態の検知方法を提供することを目的とする。
【０００８】
さらに、より安価で簡素な構造で、上記のような不正使用状態を検知することが可能な投写型画像表示装置を得ることを目的とする。
【０００９】
【課題を解決するための手段】
この発明に係る投写型画像表示装置は、画像表示素子の画像を拡大投写する投写レンズ、上記画像表示素子を駆動せしめる電気回路、冷却用のファン、上記の構成要素を内部に収め所定の面に吸気口が設けられた筐体、上記吸気口形成領域に上記筐体の所定の面の外側に押し出されて保持されたフィルターカバー、上記フィルターカバーに装着された防塵フィルター、上記フィルターカバーと接触可能に配置された検知スイッチを備え、上記検知スイッチは、上記フィルターカバーとの接触、非接触により上記フィルターカバーの装着状態を検知する第一の検知スイッチと、上記フィルターカバーが上記筐体の所定の面に沿うように閉じる状態を検知する第二の検知スイッチとにより構成されるものである。
【００１０】
また、この発明に係る投写型画像表示装置は、上記のような検知スイッチに代え、検知スイッチをフィルターカバーの一端に接触可能に配置された１個の検知スイッチによって構成し、上記検知スイッチは、上記フィルターカバーとの接触、非接触によって、上記フィルターカバーが筐体に装着され正常に用いられている第一の状態か、上記フィルターカバーが上記筐体に装着されていないか若しくは上記フィルターカバーが上記筐体の所定の面に沿うように閉じる第二の状態かを検知するものである。
【００１１】
さらに、この発明に係る投写型画像表示装置は、上記のような検知スイッチに代え、検知スイッチを２接点タイプのスイッチとし、上記検知スイッチに設けられフィルターカバーに接触する突起部のストローク量が、上記フィルターカバーの変動に応じて変化する構成であり、上記ストローク量によって上記フィルターカバーが筐体に装着され正常に用いられている第一の状態か、上記フィルターカバーが上記筐体に装着されていないか若しくは上記フィルターカバーが上記筐体の所定の面に沿うように閉じる第二の状態かを検知するものである。
【００１２】
また、この発明に係る投写型画像表示装置は、画像表示素子の画像を拡大投写する投写レンズ、上記画像表示素子を駆動せしめる電気回路、冷却用のファン、上記の構成要素を内部に収め所定の面に吸気口が設けられた筐体、上記吸気口形成領域に上記筐体の側面の外側に押し出されて保持されたフィルターカバー、上記フィルターカバーに装着された防塵フィルター、上記筐体の内面を覆う第一の導電膜、上記筐体の内面に形成され上記第一の導電膜とは絶縁された状態の第二の導電膜、上記フィルターカバーの表面に配置され、上記フィルターカバーが上記筐体に装着され、上記筐体の所定の面から外側に押し出されて保持された状態で上記第一、第二の導電膜の両方に接触する第三の導電膜、上記第一の導電膜と上記第二の導電膜とが上記第三の導電膜を介して電気的に導通状態か非導通状態かを検知するマイコンを備えたものである。
【００１３】
さらに、この発明に係る投写型画像表示装置は、画像表示素子の画像を拡大投写する投写レンズ、上記画像表示素子を駆動せしめる電気回路、冷却用のファン、上記の構成要素を内部に収め所定の面に吸気口が設けられた筐体、上記吸気口形成領域に上記筐体の所定の面の外側にスプリング部材の弾力性を利用して押し出されて保持されたフィルターカバー、上記フィルターカバーに装着された防塵フィルター、上記フィルターカバーの中心から筐体の内部側に向かって突出するカバー中心部、上記カバー中心部の突出部と接触可能に配置され、接触状態を検知する検知スイッチを備え、上記フィルターカバーの中心が回動中心となり、上記フィルターカバーの回動に応じて上記カバー中心部の突出部と上記検知スイッチとの接触状態が変化するものである。
【００１４】
また、この発明に係る投写型画像表示装置は、画像表示素子の画像を拡大投写する投写レンズ、上記画像表示素子を駆動せしめる電気回路、冷却用のファン、上記の構成要素を内部に収め所定の面に吸気口が設けられた筐体、上記吸気口形成領域に上記筐体の所定の面の外側にスプリング部材の弾力性を利用して押し出されて保持され、中心位置を回動中心として回動するフィルターカバー、上記フィルターカバーに装着された防塵フィルター、上記フィルターカバーの両端にそれぞれ接触可能に配置された検知スイッチを備え、上記検知スイッチは、上記検知スイッチがいずれも上記フィルターカバーに接触していない第一の状態と、一方の上記検知スイッチのみ上記フィルターカバーに接触している第二の状態と、両方の上記検知スイッチが上記フィルターカバーに接触している第三の状態とを検知するものである。
【００１５】
さらに、この発明に係る投写型画像表示装置は、上記のような構成において、略平板状のフィルターカバーは、筐体の側面と平行な状態を保つように、上記筐体の外側に、スプリング部材の弾力性を利用して押し出されて保持されるものである。
【００１６】
また、この発明に係る投写型画像表示装置は、上記のような構成において、略平板状のフィルターカバーは、一端を回動中心として他端が筐体の所定の面から外側に、スプリング部材の弾力性を利用して押し出されて保持されるものである。
【００１７】
さらに、この発明に係る投写型画像表示装置の構成に用いるスプリング部材は、コイルバネまたは板バネあるいはスポンジのいずれか、若しくはそれらの部材を組み合わせて用いられるものである。
【００１８】
また、この発明に係る投写型画像表示装置の構成に用いるスプリング部材は、フィルターカバーの端部によって構成される弾力性を持つ可動部とするものである。
【００１９】
さらに、この発明に係る投写型画像表示装置の構成に用いるスプリング部材としての機能は、フィルターカバー内面と、この内面に対向する筐体構成面との間に挟持された弾力性を持つ防塵フィルターが兼ねるものである。
【００２０】
また、この発明に係る投写型画像表示装置の検知スイッチによって、フィルターカバーが非装着である状態または上記フィルターカバーが筐体の所定の面に沿って閉じる状態を検知した場合、ブザーやランプなどの表示手段を用いて不正使用状態を伝達するものである。
【００２１】
さらに、この発明に係る投写型画像表示装置に設けられたマイコンによって、第一の導電膜と第二の導電膜とが非導通である状態を検知した場合、ブザーやランプなどの表示手段を用いて不正使用状態を伝達するものである。
【００２２】
【発明の実施の形態】
実施の形態１.
この発明による投写型画像表示装置においては、この画像表示装置の本体となる筐体の底面に吸気口が設けられ、かつ吸気口は防塵フィルタが装着されたフィルターカバーでガードされており、この吸気口が塞がれた状態で使用したときに、スプリング部材により、筐体側面から押しだされて支持されたフィルターカバーが吸気口を塞ぐ物体によって押さえ込まれることにより、筐体内部に備えられた検知スイッチを押し、吸気口が塞がれた状態であることを検知し、ユーザーに知らせることができる。
【００２３】
以下、この発明の実施の形態１について図１および図２を用いて詳細に説明する。
図１および図２は、この発明による投写型画像表示装置の吸気口周辺部を示す図であり、図２１に示された投写型画像表示装置を横から見た断面図である。
なお、投写型画像表示装置の全体構造は、既に説明のために用いた図２１に示す構造とほぼ同様であるので、ここでは、発明の特徴となる吸気口周辺部のみを図示する。また、図３〜図２０も図１、図２と同様に装置を横から見た断面図である。
【００２４】
図１において、符号１は防塵フィルター、２は投写型画像表示装置の本体を構成する筐体、２ａは筐体２の一部であり、防塵フィルター１が外側に取り付けられた吸気口、３は防塵フィルター１を装着するフィルターカバー、４ａおよび４ｂは筐体２とフィルターカバー３との間に配置されたスプリング部材であるコイルバネであり、このコイルバネ４は一例としては、フィルターカバー３から筐体２の内部側に向かって突き出した状態の突起部３ａを中心にして囲むような状態に配置とする。
【００２５】
また、符号５は吸気口２ａが塞がれていない正常な状態で使用されている場合に、筐体２から外側に突き出した状態に保持されているフィルターカバー３の一端と接している状態、並びに図２に示すように吸気口２ａが異物によって塞がれてフィルターカバー３が筐体２側に押さえ込まれた場合に筐体２とで押圧状態となる異常な状態で使用されている場合にフィルターカバー３と非接触となる状態を検知することが可能な第一の検知スイッチ、６はフィルターカバー３に形成された突起部３ａが、吸気口２ａが塞がれていない正常な状態である場合においては接触せず、図２に示すように吸気口２ａが塞がれ、フィルターカバー３が筐体２側に押さえ込まれることによって突起部３ａが突き出すことによって接触状態となることを検知することが可能な第二の検知スイッチをそれぞれ示している。
【００２６】
このように構成された投写型画像表示装置においては、まず、防塵フィルター１を装着するフィルターカバー３が筐体２に装着されたことを第一の検知スイッチ５によって検知する。さらに、本などの障害物８によって吸気口２ａが塞がれた状態で使用されようとした場合、コイルバネ４ａ、４ｂの作用により筐体２よりも外側に押し出されて保たれた、防塵フィルター１を装着しているフィルターカバー３が、障害物によって押さえられフィルターカバー３が筐体２の内部側（図１では上側）に移動し、第二の検知スイッチ６を押すことにより、吸気口２ａが塞がれていることを検知する。
【００２７】
従って、防塵フィルター１が装着されていない状態や、吸気口２ａが塞がている状態を検知することにより、ブザーやランプなどの表示手段を通じてユーザーに不正使用を知らしめることが可能となる。ブザーを用いた場合では、不正な使用状態の場合に特定の音が鳴るように、またランプを用いる場合は、正常、異常をそれぞれ特定の色、点灯状態によって表示して、ユーザーに認識させることができる。装置の使用時は筐体の底面と設置面との間に２〜３ｃｍの空間が保てるように脚部が設けられている（図示せず）。さらにこの脚部の高さを調節することにより装置の投写角度を変えることができる。
【００２８】
なお、この実施の形態１では、吸気口は筐体の底面に設けられているが、ここに限られたものではなく、側面や上面に設けることができる。また、スプリング部材としてコイルバネ４ａ、４ｂを用いた例を示したが、その他、板バネ、スポンジなどを用いることが可能であることは言うまでもない。
【００２９】
実施の形態２.
次に、この発明の実施の形態２について図３を用いて説明する。
既に説明した実施の形態１では、スプリング部材としてコイルバネ４ａ、４ｂを用いてフィルターカバー３と表示装置本体を構成する筐体２との距離を調整していたが、この実施の形態２では、弾力性を有する防塵フィルター１ａをスプリング部材を兼ねて配置する例について説明する。
【００３０】
図３に示すように、防塵フィルター１ａは吸気口２ａに相当する領域の筐体２の構成面とフィルターカバー３との間に狭持されて配置されている。正常な使用状態である場合においては、この表示装置は第一の検知スイッチ５の凸部がフィルターカバー３に接触してＯＮ状態となり、第二の検知スイッチ６はフィルターカバー３に設けられた凸部とは接触せずにＯＦＦ状態となる。
【００３１】
一方、本などの障害物によって吸気口２ａが塞がれ、フィルターカバー３が筐体２側に押される不正使用状態では、防塵フィルター１ａが圧縮され、第二の検知スイッチ６はＯＮ状態となる。なお、第一の検知スイッチ５は、不正使用状態の場合でもＯＮ状態となり、ＯＦＦ状態はフィルターカバー３の非装着を示すものとする。
【００３２】
このように弾力性を有する防塵フィルター１ａを配置形成することにより、フィルターカバー３を筐体２の側面から外側に突き出す状態に保つことができるため、別のスプリング部材を備える必要はなく、実施の形態１のものと同様の効果を得られる上、より安価な投写型画像表示装置を得ることが可能となる。
【００３３】
実施の形態３.
次に、この発明の実施の形態３について説明する。
上述の実施の形態２においては、スプリング部材を兼ねる防塵フィルター１ａの弾力性を利用し、フィルターカバー３を筐体２から外側に突き出すような状態に保ったが、この実施の形態３の投写型画像表示装置では、図４に示すようにフィルターカバー３に弾力性を持つ可動部３ｂを設け、フィルターカバー３が筐体２の側面から突き出した状態を保持している。
【００３４】
図４に示す表示装置の断面構造は、正常な使用状態を示しており、第一の検知スイッチ５はＯＮ状態、第二の検知スイッチ６はＯＦＦ状態となっている。これに対して、吸気口２ａが本などの障害物によって塞がれ、フィルターカバー３が筐体２の内部側に押されることによって、第二の検知スイッチ６はＯＮ状態となり、異常な状態であることを検知することが可能となる。
【００３５】
このように、フィルターカバー３の端部を加工して弾力性を持つ可動部３ｂを設けることで、スプリング部材を別に設ける必要はなくなり、実施の形態１および実施の形態２の場合と同様の効果を    得ることが可能となる。
【００３６】
実施の形態４.
次に、この発明の実施の形態４について図５および図６を用いて説明する。この実施の形態４の投写型画像表示装置は、図５に示すように、吸気口２ａの状態やフィルターカバー３の装着、非装着を検知する手段として１個の検知スイッチ１１を配置したことを特徴としている。
【００３７】
この実施の形態４の投写型画像表示装置は、実施の形態２において示したスプリング部材を兼ねる防塵フィルター１ａを有している点は共通しており、この防塵フィルター１ａの弾力性によってフィルターカバー３を筐体２の側面から外側に突き出す状態に保っている。図３に示す表示装置との相違点は、第一の検知スイッチ５が配置された位置に１個の検知スイッチ１１を配し、第二の検知スイッチ６が配置された位置にはスイッチが配置されていないという点である。
【００３８】
正常な使用状態である場合においては検知スイッチ１１の凸部がフィルターカバー３に接触してＯＮ状態となっており、一方、図６に示すように障害物８によって吸気口２ａが塞がれた不正使用状態では、フィルターカバー３が筐体２の内部側に押されて検知スイッチ１１の凸部はフィルターカバー３から離れ、ＯＦＦ状態となる。
さらに、フィルターカバー３が筐体２に装着されていない状態では、検知スイッチ１１はＯＦＦ状態となる。
【００３９】
このように、１個の検知スイッチ１１を配した場合においても不正使用状態を検出でき、また、より少ない数のスイッチしか設けなくても良いため、複数個の検知スイッチを設ける場合と比較して安価な投写型画像表示装置を得ることが可能となる。
【００４０】
実施の形態５.
次に、図７、図８を用いて実施の形態５について説明する。
図７において符号１２は２接点タイプの検知スイッチであり（以下、２接点検知スイッチとする。）、凸部のストローク量によって防塵フィルター１が装着されていない状態や、吸気口２ａが塞がれた状態を検知するという機能を有している。
【００４１】
２接点検知スイッチ１２は、スイッチを構成する凸部の突出量を大、中、小の三段階に検出できる。すなわち、フィルターカバー３が装着されていない場合は凸部は伸びきった状態で突出量が大となり、フィルターカバー３が装着されて凸部と接触し、フィルターカバー３が筐体２の側面から外側に押し出された正常な使用状態で突出量が中となり、図８に示すようにフィルターカバー３が障害物８のために筐体２の内部に押さえ込まれる不正使用状態で突出量が小となる。
【００４２】
このように、２接点検知スイッチ１１の凸部の突出量が大、小となる不正使用状態を検知し、表示手段を介してユーザーに状況を伝達することですばやく正常な使用状態に直すことが可能であり、トラブルを防止することができる。
なお、このような２接点検知スイッチ１１を、先述の実施の形態において示した投写型画像表示装置に用いることも可能であることは言うまでもない。
【００４３】
実施の形態６.
次に、図９および図１０を用い、この発明の実施の形態６の投写型画像表示装置について説明する。
図において、符号１３は筐体２の内面側を被覆する導電膜、１３ａはフィルターカバー３と接する筐体２の内面領域に配置形成され、かつ周囲の導電処理部とはマスキングにより非導通となっている第二の導電膜、１４は第二の導電膜１３ａと接する領域のフィルターカバー３表面を被覆するように設けられたカバー導電膜、１５は導電膜１３と第二の導電膜１３ａとに接続された状態のマイコンをそれぞれ示している。
【００４４】
このように構成された投写型画像表示装置においては、図９に示すようにフィルターカバー３が筐体２に装着されることにより、カバー導電膜１４を介して、筐体２の導電膜１３と第二の導電膜１３ａが電気的に導通する状態となり、それをマイコン１５が検知する。
さらに、障害物８によって、筐体２に備えられた吸気口２ａが塞がれた状態で使用されようとした場合、フィルターカバー３が、障害物８によって筐体２の内部側に押さえられ、カバー導電膜１４が導電膜１３および第二の導電膜１３ａから離れ、電気的に非導通となり、吸気口２ａが塞がれていることをマイコン１５が検知する。
【００４５】
従って、防塵フィルター１が装着されていない状態や、吸気口２ａが塞がれた状態をマイコン１５によって検知することにより、不正使用状態をユーザーに知らしめることが可能となる。なお、異常を検知した場合は、投写型画像表示装置に設けられた表示ランプやブザー等の手段を用いてユーザーに不正使用状態を伝達することが可能である。
【００４６】
本実施の形態による表示装置は、不要輻射対策等で施されている導電処理を利用したもので、別、スイッチやスイッチを押す構造等を設ける必要がなく、安価で、かつ簡素な構造で目的を達成することができる。
なお、本実施の形態では、スプリング部材として防塵フィルター１を利用したが、別のスプリング部材として、コイルバネ、板バネ、スポンジ等を用いても同様の効果が得られることは言うまでもない。
【００４７】
実施の形態７.
図１１および図１２は、この発明の実施の形態７による投写型画像表示装置の吸気口周辺部を示す断面図であり、この図において、符号７はフィルターカバー３の回動中心であり、ある角度回動可能に取り付けられており、５ａはフィルターカバー３が筐体２に装着されたことを検知する検知スイッチである。なお、検知スイッチ６はフィルターカバー３が筐体２の内部側に押されて閉じたことを検知する検知スイッチである。
【００４８】
このように構成された投写型画像表示装置においては、まず、フィルターカバー３が筐体２に装着されたことを検知スイッチ５ａによって検知する。さらに、本などの障害物８によってフィルターカバー３が押圧され、吸気口２ａが塞がれた状態で使用されようとした場合、コイルバネ４の作用により回動中心７を中心として筐体２の内部側へフィルターカバー３が閉じ、このフィルターカバー３の突起部３ａが押し込まれることで検知スイッチ６を押し、吸気口２ａが塞がれていることを検知する。
【００４９】
従って、フィルターカバー３が装着されていない状態や、吸気口２ａが塞がれた状態を検知するとともに、筐体２に備えられた表示手段のブザーやランプなどを介してユーザーに不正使用状態を知らしめることができ、ユーザーは障害物８を取り除いて吸気口２ａからの吸気状態を良好にし、トラブルを防ぐことが可能となる。
【００５０】
実施の形態８.
次に、この発明の実施の形態８について説明する。上述の実施の形態７では、フィルターカバー３をコイルバネ４の作用により、筐体２の外側に向かって開かせたが、図１３に示すように、スプリング部材を弾力性のあるスポンジ９としても同様に、フィルターカバー３を筐体２の外側に開かせることが可能となり、同様の効果を得ることができる。
【００５１】
実施の形態９.
先述の実施の形態７および実施の形態８においては、フィルターカバー３をコイルバネ４およびスポンジ９の作用により筐体２の外側へ開かせたが、図１４に示すように、スプリング部材として板バネ１０を用いても同様の効果を得ることが可能である。
【００５２】
実施の形態１０.
また、この実施の形態１０では、フィルターカバー３を筐体２の外側へ開かせるスプリング部材として、図１５に示すように、弾力性を持つ防塵フィルター１ｂを筐体２の吸気口２ａとフィルターカバー３との間に隙間無く、かつフィルターカバー３を外側へ押し出す状態となるように配置して用いることも可能である。このように防塵フィルター１ｂがスプリング部材を兼ねる構造であるため、安価に表示装置を製造することが可能となる。
【００５３】
実施の形態１１.
さらに、この発明の実施の形態１１では、フィルターカバー３を筐体２の外側へ開かせる手段として、図１６に示すように、弾力性を持つ可動部３ｂを形成することも可能である。
弾力性を持つ可動部３ｂはフィルターカバー３の検知スイッチ５ａに接触する側とは反対側の端部を加工して得ることが可能であり、スプリング部材として、別の部品を用意する必要はなく、安価に表示装置を製造することが可能となる。なお、図１６にはフィルターカバー３の端部に弾力性を持つ可動部３ｂを設けた例を示したが、筐体２側に弾力性を持つ可動部を形成しても同様の効果を得ることが可能であることは言うまでもない。
【００５４】
実施の形態１２.
次に、この発明の実施の形態１２について図１７および図１８を用いて説明する。図において、符号１ｃは吸気口２ａとフィルターカバー３との間に隙間無く配置された弾力性を持つ防塵フィルター、３ｃはフィルターカバー３の中心から筐体２側に突き出した形状のカバー中心部、７ａはフィルターカバー３の中心に位置し、可動な状態に保持されたフィルターカバー３の回動中心、１１ａはカバー中心部３ｃの凸部と接触することでフィルターカバー３の装着および正常な使用状態を検知することが可能な検知スイッチをそれぞれ示している。なお、フィルターカバー３に備えられた防塵フィルター１ｃがスプリング部材としての機能も兼ね備えている。
【００５５】
図１８に示すように、防塵フィルター１ｃの弾力性により筐体２よりも外側に押し出されて保たれたフィルターカバー３が障害物８によって押さえ、吸気口２ａが塞がれた状態で使用されようとした場合、防塵フィルター１ｃの弾力性により筐体２よりも外側に押し出されて保たれたフィルターカバー３が障害物８によって押さえられることにより、回動中心７ａを中心として回動する。これにともなってカバー中心部３ｃの先端が検知スイッチ１１ａの突起部分を踏み外す。検知スイッチ１１ａは、このスイッチの突起部と、カバー中心部３ｃの先端とが最初は接触状態にあり、次に非接触状態となったことを検知し、ブザーやランプなどの表示手段を介してユーザーに不正使用状態を知らしめることが可能である。
【００５６】
また、検知スイッチ１１ａは、フィルターカバー３が装着されていない場合においても、スイッチの突起部がカバー中心部３ｃの先端と接触していない状態を同様に検知することが可能であり、不正使用状態を表示手段を介してユーザーに知らしめることが可能である。
【００５７】
なお、この実施の形態１１では、スプリング部材として防塵フィルター１ｃを利用したが、別の部品からなるスプリング部材として、先述の実施の形態において示したコイルバネ、板バネ、スポンジなどを用いても同様の効果を得られることは言うまでもない。
【００５８】
また、この発明の実施の形態１１では、フィルターカバー３が装着されていない状態や、吸気口２ａが塞がれた状態を１個の検知スイッチで検知する構成としたが、先述の実施の形態に示したように、２個の検知スイッチを用いて検知することも可能である。２個の検知スイッチを用いる場合は、検知スイッチをカバー中心部３ｂに接するように配置するのではなく、フィルターカバー３の両端（図１７で言うとフィルターカバー３の左端と右端に相当する。）に当接可能に配置し、両方の検知スイッチがＯＦＦ状態（検知スイッチとフィルターカバーとが非接触な状態。）の場合はフィルターカバー３が筐体２に装着されておらず、一方の検知スイッチはＯＦＦ状態で他方の検知スイッチがＯＮ状態（検知スイッチとフィルターカバーとが接触する状態。）の場合は吸気口２ａが障害物８によって塞がれた不正使用状態であり、両方の検知スイッチがＯＮ状態である場合は正常な使用状態であるというように、使用状態を検知することが可能となる。
【００５９】
実施の形態１３.
次に、この発明の実施の形態１３について説明する。先述の実施の形態７〜１１においては、フィルターカバー３が筐体２に装着されていない状態や、吸気口２ａが塞がれた状態を各々１個、計２個の検知スイッチで検知する構成としていたが、図１９に示すような位置に検知スイッチ１１ｂを配置すれば、１個の検知スイッチで同様の効果が得られる。
【００６０】
すなわち、フィルターカバー３の回動中心７に近い側の端部であるカバー端部３ｄを、回動中心７から比較的長く伸びた部材によって構成し、フィルターカバー３の回動による端部の変動量を大きくし、カバー端部３ｄと検知スイッチ１１ｂとの接触、非接触により、正常な使用状態か不正使用状態かを検知することが可能である。具体的には、図１９に示すようにＯＮ状態の場合は正常、図２０に示すようにＯＦＦ状態の場合は吸気口２ａが塞がれているか若しくはフィルターカバー３が非装着であることを示す不正使用状態である。
【００６１】
このように、検知スイッチを１個とすることで、より安価に表示装置を形成することが可能であり、複数の検知スイッチを用いる場合と比較してそれぞれのスイッチの特性ばらつきがないという点において信頼性も向上する。
【００６２】
【発明の効果】
この発明による投写型画像表示装置によれば、投写型画像表示装置の吸気口が塞がれたことを検知し、ユーザーに知らしめることにより、正しく安全に使用することが可能となる。
【００６３】
この発明による投写型画像表示装置によれば、吸気口を塞がれた状態でプレゼンテーションを行った場合、温度センサーシステムの制御によりプレゼンテーション中に電源がＯＦＦとなり、再起動するためには、少なくとも吸気口を塞いでいた障害物を取り除く必要があり、再度画角合わせ等が必要で、プレゼンテーションの一時中断を余儀なくされるが、この発明による表示装置を用いれば、プレゼンテーション開始前の、画角合わせ等の設定時に、障害物により吸気口が塞がれている状態を検知できるため、プレゼンテーションの中断を回避することができる。
【００６４】
この発明による投写型画像表示装置によれば、吸気口を塞がれた状態でプレゼンテーションを行った場合の不正使用状態をすばやく検知することが可能であるため、吸気口を塞がれた状態で使用しつづけて電源がＯＦＦとなってしまうことがない。そのため、プレゼンテーション中のユーザーが電源ＯＦＦの状態に陥って慌てたり、故障であると判断して市場クレームとなるというような問題を回避することができる。
【００６５】
また、この発明による投写型画像表示装置によれば、フィルターカバーが部分的に塞がれ、吸気の効率が下がった場合においても、フィルターカバーを介して異常を検知する構成としたために、不正使用状態としてすばやく状況をユーザーに知らしめることができる。
【図面の簡単な説明】
【図１】  この発明の実施の形態１による投写型画像表示装置の吸気口周辺部を示す断面図である。
【図２】  この発明の実施の形態１による投写型画像表示装置の吸気口周辺部を示す断面図である。
【図３】  この発明の実施の形態２による投写型画像表示装置の吸気口周辺部を示す断面図である。
【図４】  この発明の実施の形態３による投写型画像表示装置の吸気口周辺部を示す断面図である。
【図５】  この発明の実施の形態４による投写型画像表示装置の吸気口周辺部を示す断面図である。
【図６】  この発明の実施の形態４による投写型画像表示装置の吸気口周辺部を示す断面図である。
【図７】  この発明の実施の形態５による投写型画像表示装置の吸気口周辺部を示す断面図である。
【図８】  この発明の実施の形態５による投写型画像表示装置の吸気口周辺部を示す断面図である。
【図９】  この発明の実施の形態６による投写型画像表示装置の吸気口周辺部を示す断面図である。
【図１０】  この発明の実施の形態６による投写型画像表示装置の吸気口周辺部を示す断面図である。
【図１１】  この発明の実施の形態７による投写型画像表示装置の吸気口周辺部を示す断面図である。
【図１２】  この発明の実施の形態７による投写型画像表示装置の吸気口周辺部を示す断面図である。
【図１３】  この発明の実施の形態８による投写型画像表示装置の吸気口周辺部を示す断面図である。
【図１４】  この発明の実施の形態９による投写型画像表示装置の吸気口周辺部を示す断面図である。
【図１５】  この発明の実施の形態１０による投写型画像表示装置の吸気口周辺部を示す断面図である。
【図１６】  この発明の実施の形態１１による投写型画像表示装置の吸気口周辺部を示す断面図である。
【図１７】  この発明の実施の形態１２による投写型画像表示装置の吸気口周辺部を示す断面図である。
【図１８】  この発明の実施の形態１２による投写型画像表示装置の吸気口周辺部を示す断面図である。
【図１９】  この発明の実施の形態１３による投写型画像表示装置の吸気口周辺部を示す断面図である。
【図２０】  この発明の実施の形態１３による投写型画像表示装置の吸気口周辺部を示す断面図である。
【図２１】  従来の投写型画像表示装置の各要素を示した構造図である。
【図２２】  従来の投写型画像表示装置の吸気口周辺部を示す斜視図である。
【符号の説明】
１、１ａ、１ｂ、１ｃ. 防塵フィルター    ２. 筐体    ３. フィルターカバー、
３ａ. 突起部    ３ｂ. 弾力性を持つ可動部    ３ｃ. カバー中心部、
３ｄ. カバー端部    ４ａ、４ｂ. コイルバネ    ５. 第一の検知スイッチ、
５ａ、１１、１１ａ、１１ｂ. 検知スイッチ    ６. 第二の検知スイッチ、
７、７ａ. 回動中心    ８. 障害物    ９. スポンジ    １０. 板バネ、
１２．２接点検知スイッチ    １３. 導電膜    １３ａ. 第二の導電膜、
１４. カバー導電膜    １５. マイコン。
【図１】
0004020526.tif 000002
【図２】
0004020526.tif 000003
【図３】
0004020526.tif 000004
【図４】
0004020526.tif 000005
【図５】
0004020526.tif 000006
【図６】
0004020526.tif 000007
【図７】
0004020526.tif 000008
【図８】
0004020526.tif 000009
【図９】
0004020526.tif 000010
【図１０】
0004020526.tif 000011
【図１１】
0004020526.tif 000012
【図１２】
0004020526.tif 000013
【図１３】
0004020526.tif 000014
【図１４】
0004020526.tif 000015
【図１５】
0004020526.tif 000016
【図１６】
0004020526.tif 000017
【図１７】
0004020526.tif 000018
【図１８】
0004020526.tif 000019
【図１９】
0004020526.tif 000020
【図２０】
0004020526.tif 000021
【図２１】
0004020526.tif 000022
【図２２】
0004020526.tif 000023